(57)【要約】【課題】災害発生直後に必要とされる仮設住宅には、長期にわたる居住性よりも、迅速な部材調達と配達およびすばやい組み立てが必要である。そのためには、使用する部材は、軽量であって大量に調達でき、しかも平時における部材の保管にコストがかからないといった条件が必要になる。【解決手段】壁材となる部材に流通輸送分野で利用されているパレットを使う。この類のパレットは全国に５００万枚以上が流通されており、平時の保管場所に特別な場所を必要としない。このパレットを本発明の継ぎ手で連結してゆき、鋼管で補強しながら短時間で組みあがる仮設住宅を提供する。【選択図】図１
2009167759.tif 000002
【特許請求の範囲】
【請求項１】
直方体形状であって対向する１組の面の間に貫通孔を有する本体部と、
前記本体部の面のうち前記貫通孔を有さない１面から突出した突出部を有する建築部材用継ぎ手。
【請求項２】
前記突出部は前記貫通孔の入り口を有する前記本体部の面と同一面を有する請求項１に記載された継ぎ手。
【請求項３】
前記貫通孔は断面が対角線状に配置された少なくとも２つの貫通孔である請求項１に記載された継ぎ手。
【請求項４】
前記貫通孔は途中で直径が異なる貫通孔である請求項１に記載された継ぎ手。
【請求項５】
請求項１乃至４のいずれか１に記載された前記継ぎ手をそれぞれの貫通孔が重なるように複数個並べた連結継ぎ手であって、
それぞれの前記継ぎ手の前記突出部が互いに１８０度の角度で係止されているＩ字継ぎ手。
【請求項６】
請求項１乃至４のいずれか１に記載された前記継ぎ手をそれぞれの貫通孔が重なるように複数個並べた連結継ぎ手であって、
それぞれの前記継ぎ手の前記突出部が互いに９０度の角度で係止されているＬ字継ぎ手。
【請求項７】
請求項１乃至４のいずれか１に記載された前記継ぎ手をそれぞれの貫通孔が重なるように複数個並べた連結継ぎ手であって、
それぞれの前記継ぎ手の前記突出部が互いに０度の角度で係止されているπ字継ぎ手。
【請求項８】
請求項５乃至７に記載された連結継ぎ手でパレットを連結し床部と壁部を形成する仮設住宅。
【請求項９】
土台を配置する工程と、
前記土台に床材となる複数のパレットを敷き、それぞれのパレットを請求項５に記載されたＩ字継ぎ手で連結する工程と、
前記床材となるパレットと壁材となるパレットを請求項６に記載されたＬ字継ぎ手で連結し、前記壁材となるパレット同士を前記Ｉ字継ぎ手で連結する工程と、
前記壁材となるパレットのうち、直角に連結される辺に鋼管で支柱を連結する工程と、
前記支柱に梁材と桁材を連結する工程と、
前記支柱に棟木が連結された垂木材を連結する工程とを有する仮設住宅の組立方法。
【請求項１０】
前記壁材となるパレットを少なくとも２段に積み上げる工程と、
前記積み上げられた前記パレット間に鋼管による壁補強材を連結する工程を含む請求項に記載された仮設住宅の組立方法。
【発明の詳細な説明】
【技術分野】
【０００１】
本発明は、災害時などに設置する仮設住宅および仮設住宅の組み立て方法と、仮設住宅を建設する際に用いる建築用構造材の継ぎ手に関するものである。
【背景技術】
【０００２】
大規模の災害発生に伴いその初期に必要となるものとして，被災者が精神的・体力的にも健康に過ごせる空間となるべき仮設住宅の問題がある。
【０００３】
従来仮設住宅には、完成した簡易住宅を現地まで運搬し現地で連結してゆく形式のもの（特許文献２）や、所定の寸法に形成した石材パネルを、現地で接合ピンで組み立てる石組簡易住宅（特許文献３）や、折りたたんで運搬を用意にした簡易住宅モジュール（特許文献４）といった発明があった。
【０００４】
しかし、これらには、完成品の保管場所に広いスペースが必要であったり、重量のある部材（石材パネル）を移送しなければならなかったり、組み上げ時に強度を持たせるために多くの種類の部材が必要であるといった課題があった。
【０００５】
これらの課題を解決するために、特許文献１では、合わせ板を建設部材とし、各部材同士をばね性のロック機構による係止具で固定する仮設住宅を提案している。この発明による仮設住宅は、大きさの揃った材料により、組み立てが容易で、比較的大きな部屋面積が確保でき、保管時の面積が少なくてすむという特徴を有する。
【特許文献１】特開２００７−１９８１０８号公報
【特許文献２】特開平９−１２５７１８号公報
【特許文献３】特開平１０−４６６５８号公報
【特許文献４】特開平９−４０６０号公報
【発明の開示】
【発明が解決しようとする課題】
【０００６】
特許文献１の仮設住宅は、ある程度長期間にわたって、快適な生活空間を提供するために考案されたものである。そのため、使用する部材にしても合わせ板やロック機構付の係止具といった特別な部材を予め用意し、保管しておく必要がある。しかし、災害が発生し仮設住宅が必要な場合は、被害者数が多数に上る場合が多い。そのため、予め用意する部材や保管に係る費用は大きな負担となる。また、部材の保管場所が災害にあった場合には、せっかくの仮設住宅も建設すらできなくなる。
【０００７】
災害時に必要な仮設住宅には複数の段階があると考えられる。上記に示した特許文献に示された仮設住宅は、本格的に居住を継続する際に必要となる仮設住宅であり、災害直後においては、もう少し簡易であっても迅速に対応が可能な仮設住宅が必要である。
【０００８】
このようなフェーズに対応するためには、必要な部材の入手が容易であること、保管場所に広いスペースが不要であること、保管場所が災害を受けても、部材にダメージが少ないこと、広い範囲にわたり迅速に部材運搬が可能であることといった条件を満たさなければならないといった課題があった。
【課題を解決するための手段】
【０００９】
上記課題に鑑み本発明者は鋭意検討した結果、物流輸送の分野で用いられるプラスチックパレットを組み合わせることで、立派なハウスに早変わりするプラスチックパレットを応用した仮設住宅を発案するに至った。
【００１０】
すなわち、本発明は、
直方体形状であって対向する１組の面の間に貫通孔を有する本体部と、
前記本体部の面のうち前記貫通孔を有さない１面から突出した突出部を有する建築部材用継ぎ手を提供するものである。
【００１１】
そして、この継ぎ手を用いて
それぞれの貫通孔が重なるように複数個並べた連結継ぎ手であって、
それぞれの前記継ぎ手の前記突出部が互いに１８０度の角度で係止されているＩ字継ぎ手を提供する。
【００１２】
また、
前記継ぎ手をそれぞれの貫通孔が重なるように複数個並べた連結継ぎ手であって、
それぞれの前記継ぎ手の前記突出部が互いに９０度の角度で係止されているＬ字継ぎ手を提供する
【００１３】
また、
前記継ぎ手をそれぞれの貫通孔が重なるように複数個並べた連結継ぎ手であって、
それぞれの前記継ぎ手の前記突出部が互いに０度の角度で係止されているπ字継ぎ手を提供する。
【００１４】
これらの連結継ぎ手は輸送用に用いられるパレットを連結する際に用いることができ、パレットによる仮設住宅の組み立てを可能にする。
すなわち、これらの連結継ぎ手でパレットを連結し床部と壁部を形成する仮設住宅を提供する。
【００１５】
また本発明は、
土台を配置する工程と、
前記土台に床材となる複数のパレットを敷き、それぞれのパレットを前記Ｉ字継ぎ手で連結する工程と、
前記床材となるパレットと壁材となるパレットを前記Ｌ字継ぎ手で連結し、前記壁材となるパレット同士を前記Ｉ字継ぎ手で連結する工程と、
前記壁材となるパレットのうち、直角に連結される辺に鋼管で支柱を連結する工程と、
前記支柱に梁材と桁材を連結する工程と、
前記支柱に棟木が連結された垂木材を連結する工程とを有する仮設住宅の組立方法を提供する。
【００１６】
本発明の仮設住宅は，災害初期の被災者に対応するもので，発生当日から２日までに対応することを想定している。使用期間は災害発生後３ヶ月程度で、本格的な仮設住宅の建設までの間を補う応急的な住宅である。
【発明の効果】
【００１７】
本発明の仮設住宅は、市場で流通しているプラスチックパレットを利用する。そして、プラスチックパレットは現在全国で５００万枚が流通している。従って災害時には、容易にプラスチックパレットを集めることができる。また、プラスチックパレットはほぼ大きさの揃ったサイズが流通しているため、大きさの揃った部材の調達も容易である。さらに、プラスチックパレットは軽量なので一度に大量に移送が可能である。
【００１８】
また、部材となるパレットは通常流通に用いるので、特別な保管場所が必要でなく、仮に保管場所が災害を受けても、損害を受けにくい。
【００１９】
また、この仮設住宅用に保管しなければならない部材はプラスチックパネルの継ぎ手であるが、継ぎ手自体は小さいものなので、狭い空間に大量に保管することができる。またこの継ぎ手自体壊れにくく、仮に継ぎ手の保管場所が災害にあったとしても、再生は比較的容易である。
【発明を実施するための最良の形態】
【００２０】
以下に本発明を説明するための実施の形態について説明を行うが、以下の説明だけに限定されるものではなく、本発明の範囲内で適宜変更若しくは公知の技術を追加することができる。
【００２１】
図１には、本発明の仮設住宅の組みあがり状態を示す。土地３の上に並べられたブロック５０を基礎として、鋼管２０で骨組みが形成される。少なくとも１つの入り口５が形成される。鋼管には継ぎ手３０（「ジョイント」とも呼ぶ）が連結されており、この継ぎ手がパレット１０同士を連結する。
【００２２】
ブロック５０は、地盤面の高低に対応するとともに床面の水平の確保ため通常のコンクリートブロックや金属ブロック、材木や木製等を用いることができる。このブロック５０には、床となるパレットと床板および生活用品と人間を支えるだけであり、鋼管およびパレット１０全体を支えなくても良い。つまり、上からの圧縮強度が特に要求されるものではない。したがって、素焼きレンガを用いることもできる。
【００２３】
パレット１０は流通用に用いられるパレットを利用する。パレットにはフォークリフトのフォークを差しこむ孔（以後「差込口」）があいており、その孔の方向で、２方差し若しくは４方差しの物がある。２方差しとは、パレットの対向する２辺に差込口が開けてあるものをいう。これに対して４方差しとはパレットの４辺全てに差込口が開けてある。本発明の仮設住宅では、壁面部分は４方から継ぎ手３０で固定することになるため４方差しのタイプがよい。
【００２４】
パレット１０の材質はプラスチック、鋼製、アルミ製、合板製、紙製などがある。仮設住宅用としては、プラスチック製が重量や強度の点で好ましい。また、プラスチックではポリプロピレン（ＰＰ）、ポリエチレン（ＰＥ）、低発泡ポリエチレン、低発泡ポリプロピレンなどが好適に利用することができる。
【００２５】
大きさは１１００ｍｍ×１１００ｍｍの大きさの物が１９７０年にＴ１１型としてＪＩＳで規格化されており、非常に多くのパレットがこの大きさに準じている。ただし全てのパレットがこの大きさではなく、１１００ｍｍ×１４００ｍｍのサイズもよく流通している。本発明ではこのどちらを用いても良い。
【００２６】
強度的にも信頼される同一規格のプラスチックパレットが日本中に分散する物流施設を通して容易に入手可能であるということは有利な条件である。
【００２７】
すなわち災害が起きた時に，遠くから建築資材を持ってきて建設するのではなく，近くの物流業者から借りることで，必要な時に必要な数の仮設住宅を用意することができるからである。
【００２８】
鋼管２０は特に限定されるものではないが、足場用単管を好適に用いることができる。この足場用単管は外径が４８．６ｍｍ、厚さが２．４ｍｍの丸パイプなどが好適に利用でき、また入手も容易である。継ぎ手３０は、この丸パイプを想定して貫通孔を設けてある。したがって、これより径の小さい４２．７ｍｍのものも利用することはできる。しかし、バタ角と呼ばれる５０ｍｍ×５０ｍｍの四角断面を有するパイプは好ましくない。
【００２９】
長さは１ｍ、２ｍ、３ｍ、４ｍのものが一般に広く使われている。本発明では、長さが３ｍ若しくは４ｍのものを使うのが好ましい。仮設住宅として一定の広さを確保するには、この長さの単管を間口、奥行方向および高さ方向に利用するのが好ましいからである。
【００３０】
表面の仕上げのメッキの有無は特に限定されるものではない。使用期間は数ヶ月を想定しているからである。
【００３１】
鋼管２０はクランプと呼ばれる単管用の継ぎ手を用いて結合する。鋼管２０はクランプによって連結され、その鋼管に連結された継ぎ手３０によってパレット１０が固定される。このようにすることで、壁面は一定の強度を確保することができる。
【００３２】
鋼管２０は仮設住宅の骨組みを形成し、少なくとも支柱２１と梁材２２と桁材２３を有する。その他、床補強材２４、垂木材２５、棟木２６、壁補強材２７を有することが望ましい。より強度を確保できるからである。
【００３３】
図２には継ぎ手３０の使われ方を示す。図２（ａ）は仮設住宅１の隅部１４と中央部１３での継ぎ手の連結状態を示す。継ぎ手３０の詳細は、図３を用いて後述するが、一例として直方体の中ほどから対向する２面を所定厚みだけ切り取った形状をしている。したがって、所定厚み分を切り取った部分については、厚みだけが薄くなっている。この厚みが薄い部分を継ぎ手の突出部３１と呼び、残りの部分を本体部３２と呼ぶ。本体部３２には鋼管を通すための貫通孔３３が穿たれている。
【００３４】
図２（ｂ）を参照して、中央部１３では、２つの継ぎ手３０をそれぞれの突出部３１が逆方向に向くように並べて互いの本体部の貫通孔に鋼管が通るように配置する。これは２つの継ぎ手を並べて係止したものでＩ字継ぎ手４３と呼ぶ。また、複数の継ぎ手を並べて係止した継ぎ手を連結継ぎ手と呼ぶ。Ｉ字継ぎ手は連結継ぎ手である。このように配置した継ぎ手の突出部を上側と下側のパレットの差込口に差し込んでパレットを連結する。差込口とはフォークリフトのフォークを差し込む部分の孔である。
【００３５】
図２（ｂ）には、パレット１０の差込口１１に継ぎ手３０の突出部３１が挿入される様子を示す。また、図２（ｄ）には組みあがりつつある仮設住宅において、継ぎ手（連結継ぎ手）によってパレットが固定される様子を示す。図２（ｄ）において１５の部分はパレット中央部の連結を示す。図２（ａ）では中央部には１つの継ぎ手を示したが、パレットには２つの差込口が開けてある。したがって図２（ｄ）ではこれらの２つの差込口に突出部が突き刺さるように、パレットの各辺には２つの継ぎ手がある。
【００３６】
図２（ａ）を再び参照して、隅部１４では、２つの継ぎ手のそれぞれの突出部がそれぞれ直角になるように継ぎ手同士を並べ、鋼管で連結する。この連結継ぎ手をＬ字継ぎ手４４と呼ぶ。このとき２つの継ぎ手の高さは、パレットの差込口１１の長さより短い必要がある。連結されるパレットの高さが合わなくなるからである。
【００３７】
図２（ｃ）に隅部１４の連結状態を示す。連結継ぎ手の幅３４はパレットの差込口の幅１２と同じになっている。図２（ｄ）を参照して、隅部１６に配置されるパレットも鋼管に連結された継ぎ手により、２箇所の位置で連結される。
【００３８】
図３には継ぎ手３０の詳細な構成を示す。図３（ａ）を参照して、継ぎ手３０は本体部３２となる直方体の１つの面に、突出部３１が合体し一体となった形状をしている。これは、直方体の対向する２面から、幅は同じで、長さと高さが短い直方体を切り取った形状とも言える。
【００３９】
ここで、本体部の幅、長さ、高さを符号３４、３５、３６で表す。また突出部の幅、長さ、高さを３７、３８、３９で表す。継ぎ手は幅方向に２つ並べることでパレットの差込口の幅とほぼ同じ若しくは少し小さくなるようにする。これは継ぎ手を並べた際の突出部の幅が差込口と同じか少し小さくなるようにするという意味である。従って、本体部の幅３４と突出部の幅３７は同じであるようにすれば、継ぎ手を作製しやすく、寸法間違いも起こりにくい。これは、突出部は本体部の貫通孔の入り口がある面と同一の面を有していることである。
【００４０】
本体部３２には貫通孔３３が穿たれており、ここに鋼管が通り、継ぎ手と鋼管は連結される。この孔は少なくとも対角の関係に２つは構成される必要がある。２つの継ぎ手を直角の関係にするためである。図では４つの孔を有している状態を示す。これらの穴は鋼管が差し込まれるので、少なくとも５０ｍｍは必要である。これらの孔は本体の幅と平行に開けられているのがよい。すなわち、突出部３１との関係では、貫通孔３３と平行となる面に突出部３１は結合している。これは、本体部３２の中で貫通孔３３が穿たれていない面に突出部３１は結合しているとも言える。
【００４１】
また貫通孔は、途中で穴の径が変わっても良い。例えば、貫通孔の入り口から所定の深さ（例えば２５ｍｍ）までの径が６０ｍｍで、それ以降は５０ｍｍとするなどである。このようにすると、２つの継ぎ手を並べた際にピンを使って固定することができる。ここでは図３（ｅ）で示すような直径６０ｍｍで長さ５０ｍｍの滑り止めピンの利用を説明する。
【００４２】
上記のように、継ぎ手の本体部３２に穿たれた貫通孔３３は、入り口から２５ｍｍまでは直径が６０ｍｍで、それ以後は５０ｍｍとなる。貫通孔の入り口は対向する２面に形成されるので、結局、貫通孔の直径は入り口から２５ｍｍまでが６０ｍｍで、続く７０ｍｍの区間は直径が５０ｍｍとなり、そしてまた出口までの２５ｍｍが直径６０ｍｍとなる。
【００４３】
このような貫通孔に直径が６０ｍｍで長さ５０ｍｍのピンを差し込むと、差し込んだ面からピンが２５ｍｍだけ突き出した状態になる。この突き出したピンにさらに別の継ぎ手の貫通孔を通せば、２つの継ぎ手は係止されることになる。
【００４４】
建築材料として利用するパレットは、差込口が２６０ｍｍの物が大部分であるので、継ぎ手の幅３４はその半分である１３０ｍｍ以下であればよい。また、突出部３１の厚み３８は差込口の高さが５０ｍｍから９０ｍｍの間で種類があり、ほとんどが８０ｍｍから９０ｍｍである。そこで、この範囲に含まれるようなサイズであればよい。
【００４５】
本体部３２の高さ３６は使用するパレットの厚みとほぼ同じであって、差込口よりも大きければ好適である。突出部３１と本体部３２との高さの差４０および４１が継ぎ手とパレットの間の接続のストッパとなるからである。この高さの差４０および４１は同じ長さでなくてもよいが、同じ長さであれば使用する際に、左右上下を考える必要がなくなるので好ましい。
【００４６】
継ぎ手はまた複数の部品から構成されてもよい。図３（ｂ）にはその一例を示す。これは図３（ａ）で示した継ぎ手の幅３４を薄くした部品を複数枚重ねたものである。このように複数枚を重ねる構成とすると継ぎ手の幅を変更したい際に調整が可能になる。
【００４７】
図３（ｂ）では、図３（ｃ）と図３（ｄ）の部品を重ねる継ぎ手を示した。図３（ｃ）を部品Ａ、図３（ｄ）を部品Ｂとすると、部品Ａと部品Ｂは本体部の孔の径が異なる。すなわち、部品Ａの直径を部品Ｂの直径より大きくしておけば、上記に説明した滑りとめピンを利用することができる。具体的には、部品Ａの貫通孔の直径を６０ｍｍとし、部品Ｂの貫通孔の直径を５０ｍｍとするなどである。
【００４８】
パレットを連結する際には継ぎ手を組み合わせてＩ字継ぎ手、Ｌ字継ぎ手とすることはすでに説明した。図３（ａ）で示した継ぎ手を２つ並べて、その突出部を同じ方向に向けて係止した連結継ぎ手をπ字継ぎ手４５と呼ぶ。なお、図３（ｂ）で示した部品を組み合わせた継ぎ手では、それぞれの部品は幅３４が狭いだけで図３（ａ）の継ぎ手と同じ構成をしている。従って図３（ｂ）の継ぎ手もπ字継ぎ手と呼ぶことができる。
【００４９】
継ぎ手の材質は特に限定されるものではないが、重量と強度の観点から硬質の樹脂が好適に利用することができる。例えば、ＰＰやＰＥ、アクリル、ポリカーボネート（ＰＣ）などが好適に用いられる。木材を利用してもよい。
【００５０】
継ぎ手は、樹脂で構成する場合は射出成形で作製することができる。また、直方体の樹脂ブロックから削りだしで作製してもよい。
【００５１】
図３（ｂ）のように、継ぎ手を複数の部品で構成する場合、各部品は、接着剤を用いて係止することができる。また、ナット、木ネジを使用して接着させてもよい。ただし座彫りなどをして表面を平滑にするのが好ましい。
【００５２】
また、継ぎ手の本体部には貫通孔のほかに、片面には凹部をその反対面には凸部を形成してもよい。これらの凹凸部を設けることによって継ぎ手相互および連結継ぎ手とする場合の相互の接合面のずれを最小となるように連結することができる。
【００５３】
また、継ぎ手の本体部と突出部は軽量化のために肉抜きの部分を設けても良い。その際、肉抜きをすることによって残った部分が「X」字状になっていれば、強度の点からも好ましい。
【００５４】
次に図４からの図面を用いて、本発明の仮設住宅の組み立て手順について説明する。まず、敷地を選定し、そこに土台５０を配置する（図４（ａ））。土台はブロックを好適に利用できる。土台の配置の仕方には特に限定はない。しかし、パレットの辺や隅に土台があたるように配置するのが好適である。パレットの辺や四隅はパレットの肉厚が厚いため強度があるからである。
【００５５】
図４（ｂ）を参照して、土台の上に床となるパレット１０を配置する。このとき、パレット間はＩ字継ぎ手４３を用いて連結してゆく。Ｉ字継ぎ手は、継ぎ手の突出部が互いに反対方向を向くように２つの継ぎ手を並べて係止した継ぎ手である。係止の際には滑りとめピンを用いることができる。
【００５６】
図５（ａ）を参照して、床となるパレットを９枚敷き終わったら、外周部に鋼管で床補強材２４を通したＬ字継ぎ手４４を差し込む。なお、このときに床となるパレットの上に床材となるベニアなどの平板（図示せず）を敷き詰めておくと、壁ができてから床材を張る手間が省ける。Ｌ字継ぎ手４４は、２つの継ぎ手の突出部が直角になるように配置し、係止した継ぎ手である。鋼管同士はクランプ（図示せず）で固定する。
【００５７】
図５（ｂ）を参照して、壁となるパレット１０を床から出たＬ字継ぎ手の上向きの突出部に差し込んでゆく。壁となるパレット同士はＩ字継ぎ手４３で連結する。また、コーナーとなるパレットの側面にはＬ字継ぎ手４４を差し込む。ここではパレットを直角状態で連結しなければならないからである。
【００５８】
図６を参照して、図５（ｂ）では、壁となるパレットの組み立てを示したが、床となるパレットを張り終えたら、床の周囲に配置した床補強材を基礎として、鋼管を組上げる。鋼管は屋根を支える支柱２１と、壁材を固定する壁補強材２７と、屋根を支える梁材２２と桁材２３、そして屋根を構成する棟木２６と垂木材２５を有する。これ以外に補強用として筋交いなどを入れても良い。
【００５９】
図６（ｂ）と（ｃ）には、最上部の鋼管の連結状態６０を示す。図６（ｂ）は平面図であり、（ｃ）は側面図である。支柱２１に対して梁材２２と桁材２３がそれぞれ直角になるようにクランプで係止されている。垂木材２５は支柱２１とクランプで連結される。垂木材２５のクランプは桁材２３を支えるクランプより上側にしておくと好適である。
【００６０】
次に図６（ｄ）と（ｅ）は中間部の出入口５側の連結状態６１の平面図と側面図を示す。出入口側では壁補強材が通っていないので、梁材側の壁補強材と支柱がクランプで係止されるだけである。一方、図６（ｆ）と（ｇ）は中間部連結状態６２の平面図と側面図を示す。梁材側の壁補強材と桁材側の壁補強材が支柱にクランプで係止される。梁材側の壁補強材と桁材側の壁補強材を止めるクランプはどちらが上になってもかまわない。
【００６１】
図６（ｈ）と（ｉ）は、床部の連結状態６３の平面図と側面図である。ここも梁材側の床補強材と桁材側の床補強材を係止するクランプはどちらが上であってもかまわない。これらの骨組みは壁材となるパレットを差込ながらくみ上げても良いし、床材のパレットを敷き詰めた後に骨組みだけをくみ上げても良い。以後はパレットを連結しながら鋼管を通してゆく場合について説明を続ける。
【００６２】
図７を参照して、図７（ａ）は壁となるパレットの１段目をくみ上げた状態を示す。入り口５部分には２つの継ぎ手をその突出部が同じ方向になるように並べて係止したものを差し込む。これはπ字継ぎ手４５である。この部分ではパレットを連結する必要はなく、入り口を構成する鋼管を固定するだけだからである。
【００６３】
図７（ｂ）を参照して、１段目のパレットの上部にＩ字継ぎ手４３を差し込み、そこに鋼管を通して、２段目の壁材となるパレットを連結してゆく。この鋼管は壁補強材２７である。ただし、入り口のある側には鋼管を通さない。入り口が鋼管でふさがれるからである。
【００６４】
図８（ａ）を参照して、２段目のパレットを連結し終えたら、２段目のパレットの上部にπ字継ぎ手４５を差し、鋼管を通す。この場合は入り口側にも鋼管を通しておく。これらが梁材２２と桁材２３になる。入り口側の鋼管は桁材２３である。
【００６５】
図８（ｂ）を参照して、屋根となる垂木材２５と棟木２６を支柱２１に係止して完成する。後は、壁の外側と内側や屋根にはブルーシート、エアーシート、段ボールや合板などをかけ風雨を防ぐことができる。
【００６６】
図９および図１０には本発明の仮設住宅の図面を示す。図９（ａ）は床部の平面図である。床部を構成するパレットは９枚で、それぞれのパレットはＩ字継ぎ手で連結されている。壁と接するパレットだけは、壁との連結にＬ字継ぎ手を用いる。また、入り口のパレットには連結継ぎ手を用いる。なお、ここではパレットを９枚使った形態を説明したが、1枚以上でどのような床を構成してもよい。
【００６７】
図９（ｂ）は入り口側の側面図を示す。入り口側には４本の支柱が立っている。壁を構成するパレットは上下同士はＩ字継ぎ手で連結されており、直行する壁との間はＬ字継ぎ手で連結される。支柱および桁材と連結する部分には連結継ぎ手を用いている。
【００６８】
図１０は最上部の平面図と側面図である。本発明の仮設住宅では、屋根材は任意に選択できるため図示していない。したがって、床のパレットが見えるはずであるが、この図では床部のパレットは省略してある。従って、図１０（ａ）では、棟木と梁材と桁材が示される。
【００６９】
図１０（ｂ）は、入り口に対向する側の側面図である。各パレット同士はＩ字継ぎ手で連結されている。床補強材と１段目のパレットはＬ字継ぎ手で、桁材と２段目のパレットは連結継ぎ手で連結されている。また、１段目と２段目のパレットの間には鋼管が壁補強材として通っている。
【００７０】
以上のように本発明の仮設住宅は、プラスチックパレット(物流パレット)、継ぎ手、鋼管（足場用単管）及びクランプ(自在型)、エアーシート（屋根用・壁用）、コンクリートブロック（土台用）、ベニヤ合板（床敷き用）という少ない部材で構成される。また、これらの部材は継ぎ手以外は簡単にしかも大量に調達できる。また、使用する組立工具はスパナ(クランプ取付け用)だけでよい。
【００７１】
従って部材の運搬が容易で、短時間に組みあがり、災害直後に対応できる仮設住宅としての条件をそろえている。
【産業上の利用可能性】
【００７２】
本発明は、災害直後の仮設住宅として利用できるほか、家畜などの簡易ゲージなどにも利用できる。また、居住スペースとしての利用とともに、便所・浴場・倉庫などの生活利用施設スペースとして使用することも可能である。
【図面の簡単な説明】
【００７３】
【図１】本発明の仮設住宅の組みあがり状態を示す図である。
【図２】本発明の仮設住宅において継ぎ手の使い方を示す図である。
【図３】本発明の継ぎ手の構成を示す図である。
【図４】本発明の仮設住宅の組み上げ工程の一部を示す図である。
【図５】本発明の仮設住宅の組み上げ工程の一部を示す図である。
【図６】本発明の骨組の連結状態を示す図である。
【図７】本発明の仮設住宅の組み上げ工程の一部を示す図である。
【図８】本発明の仮設住宅の組み上げ工程の一部を示す図である。
【図９】本発明の仮設住宅の平面図と側面図である。
【図１０】本発明の仮設住宅の平面図と側面図である。
【符号の説明】
【００７４】
１０  パレット
２０  鋼管
３０  継ぎ手
４３  Ｉ字継ぎ手
４４  Ｌ字継ぎ手
４５  π字継ぎ手
５０  ブロック
【図１】
2009167759.tif 000003
【図２】
2009167759.tif 000004
【図３】
2009167759.tif 000005
【図４】
2009167759.tif 000006
【図５】
2009167759.tif 000007
【図６】
2009167759.tif 000008
【図７】
2009167759.tif 000009
【図８】
2009167759.tif 000010
【図９】
2009167759.tif 000011
【図１０】
2009167759.tif 000012